(57)【要約】【課題】  本発明はハードディスク（ＨＤ）等の磁気記録媒体を水平方向に対して所定の角度を有する取付台に取り付け、前後に高透磁率の部材を設置することによって、漏れ磁束無くし、取付台に取り付けられた磁気記録媒体に対して均一の磁界を与え、効率よく磁気記録媒体の磁気データ消去を行う磁気データ消去装置を提供するものである。【解決手段】  磁気データ消去装置であって、水平方向に対して所定の角度を有する取付台を備え、該取付台に記録媒体が取り付けられた取付台固定部と、着磁コイルによって覆われ、該着磁コイルの中空部に前記取付台固定部を収納する着磁部と、前記取付台固定部の前後に設けられた高透磁率部材と、該着磁コイルに電流を流し、励磁される磁界によって前記記録媒体に記録されたデータの消去を行なう制御部と、を有し、前記着磁コイルによって励磁された磁界強度が前記取付台に取り付けられた記録媒体全てに一定となる幅に前記着磁コイルが設置されていることを特徴とする。【選択図】  図１
2015062148.tif 000002
【特許請求の範囲】
【請求項１】
水平方向に対して所定の角度を有する取付台を備え、該取付台に記録媒体が取り付けられた取付台固定部と、
着磁コイルによって覆われ、該着磁コイルの中空部に前記取付台固定部を収納する着磁部と、
前記取付台固定部の前後に設けられた高透磁率部材と、
該着磁コイルに電流を流し、励磁される磁界によって前記記録媒体に記録されたデータの消去を行なう制御部と、を有し、
前記着磁コイルによって励磁された磁界強度が前記取付台に取り付けられた記録媒体全てに一定となる幅に前記着磁コイルが設置されていることを特徴とする磁気データ消去装置。
【請求項２】
前記着磁コイルの設置幅は、前記取付台固定部の前後方向に対する幅であることを特徴とする請求項１に記載の磁気データ消去装置。
【請求項３】
前記高透磁率部材は、前記着磁コイルによって励磁された磁界が前記取付台固定部の前後から漏れることを防止することを特徴とする請求項１、又は２に記載の磁気データ消去装置。
【請求項４】
前記取付台固定部の前後に設けられた高透磁率部材は、相互の押圧作用によって前記取付台固定部が装置本体からの外れることを防止することを特徴とする請求項１、２、又は３に記載の磁気データ消去装置。
【請求項５】
前記記録媒体はハードディスク（ＨＤＤ）又は磁気デープであることを特徴とする請求項１、２、３、又は４に記載の磁気データ消去装置。
【請求項６】
前記高透磁率部材は鉄板であることを特徴とする請求項１、２、３、４、又は５に記載の磁気データ消去装置。
【請求項７】
前記高透磁率部材はケイ素鋼帯、又はケイ素鋼板であることを特徴とする請求項１、２、３、４、又は５に記載の磁気データ消去装置。
【発明の詳細な説明】
【技術分野】
【０００１】
本発明は、ハードディスク（ＨＤＤ）や磁気テープ等の磁気記録媒体に記録された磁気データを消去する磁気データ消去装置に関する。
【背景技術】
【０００２】
今日、企業や個人で使用した磁気ディスク装置（以下、ハードディスクで示す）を廃棄する場合、ハードディスクに記録された情報を第三者に知られないため、例えばコンピュータに接続した状態で、しばしばオペレーティングシステムからフォーマット処理を行い、磁気情報を消去している。
【０００３】
しかし、上記消去方法では、ハードディスク内の磁気情報の配置等を管理する管理領域のみを消去し、実際の磁気情報はディスク上に残る。そこで、例えば磁気記録媒体に電磁石により生成された磁力を与え、磁気記録媒体に記録されている情報を消去する方法が行われている。
【０００４】
特許文献１は、廃棄する磁気ディスク装置に記録されたデータの漏洩防止のため、データ消去を簡単な操作で行うデータ消去装置の発明であり、磁気ディスク装置に対して磁石による水平方向の磁界を付与し、データ消去を行うデータ消去装置の発明である。
【先行技術文献】
【特許文献】
【０００５】
【特許文献１】特開２００７−６６４３９号公報
【発明の概要】
【発明が解決しようとする課題】
【０００６】
しかしなから、最近磁気ディスク装置に対して垂直方向の磁界をかけ、データを記憶する垂直磁気記録方式が採用されている。この方式は、従来の記録方式（特許文献１の記録方式）である面内記録方式に比べてデータの記録密度を高めることができ、有効である。
【０００７】
このため、磁気ディスク装置に記録されたデータを消去する際、記録方式が判らない場合も多く、水平／垂直の２つの記録方式に対応する為、データ消去装置を操作し、水平方向の磁界を磁気ディスク装置に付与し、その後更に垂直方向の磁界を磁気ディスク装置に付与する操作を行う必要があった。また、低効率の磁束方向により、不充分な消去を避けるため、２〜３倍の磁界を掛けている。
さらに、今日磁気ディスク装置の高密度化に伴って保持力が年々大きくなり、強磁力を使用したデータ消去が必要となっている。
【０００８】
したがって、従来のデータ消去装置では、磁気記録媒体のデータ消去に時間を要し、煩雑な作業が必要であった。また、電磁石に供給する電力も大きな容量が必要となっている。
一方、磁気ディスク装置をデータ消去装置内に傾けてセットし、磁界をかけて磁気ディスク装置に記録されたデータを消去する方法も提案されている。しかし、この方法でも複数の磁気記録媒体を同時にデータ消去する場合、全ての磁気記録媒体を同じレベルでデータ消去することは困難である。
【０００９】
例えば、磁気データ消去装置内の収納部に複数の磁気記録媒体をセットし、同時にデータ消去を行なう場合、磁気データ消去装置内にセットされた磁気記録媒体の位置によってデータ消去にレベル差が生じる。すなわち、磁気データ消去装置内にセットされた磁気記録媒体の位置が装置内の入り口付近である場合、漏れ磁束によって磁化のレベルが低下し、装置内の真ん中付近にセットされた磁気記録媒体の磁化レベルより低くなる。
【００１０】
このことは、磁気データ消去装置内にセットされた磁気記録媒体の位置が装置の奥側である場合も同様であり、漏れ磁束によって磁化のレベルが低下し、装置内の真ん中付近にセットされた磁気記録媒体の磁化レベルより低くなる。
したがって、従来の磁気データ消去装置では複数の磁気記録媒体を同時に効率よくデータ消去することが出来なかった。
【００１１】
そこで、本発明は上記課題に鑑み、ハードディスク（ＨＤ）等の磁気記録媒体のデータ消去を効率よく行い、磁気コイルの形成範囲をより短くし、電力消費を抑える磁気データ消去装置を提供するものである。
【課題を解決するための手段】
【００１２】
上記課題は第１の発明によれば、水平方向に対して所定の角度を有する取付台を備え、該取付台に記録媒体が取り付けられた取付台固定部と、着磁コイルによって覆われ、該着磁コイルの中空部に前記取付台固定部を収納する着磁部と、前記取付台固定部の前後に設けられた高透磁率部材と、該着磁コイルに電流を流し、励磁される磁界によって前記記録媒体に記録されたデータの消去を行なう制御部と、を有し、前記着磁コイルによって励磁された磁界強度が前記取付台に取り付けられた記録媒体全てに一定となる幅に前記着磁コイルが設置されている磁気データ消去装置を提供することによって達成できる。
【００１３】
また、上記課題は第２の発明によれば、前記着磁コイルの設置幅は、前記取付台固定部の前後方向に対する幅である磁気データ消去装置を提供することによって達成できる。
【００１４】
また、上記課題は第３の発明によれば、前記高透磁率部材は、前記着磁コイルによって励磁された磁界が前記取付台固定部の前後から漏れることを防止する磁気データ消去装置を提供することによって達成できる。
【００１５】
また、上記課題は第４の発明によれば、前記取付台固定部の前後に設けられた高透磁率部材は、相互の押圧作用によって前記取付台固定部が装置本体からの外れることを防止する磁気データ消去装置を提供することによって達成できる。
【００１６】
また、上記課題は第５の発明によれば、前記記録媒体はハードディスク（ＨＤＤ）又は磁気デープである磁気データ消去装置を提供することによって達成できる。
【００１７】
また、上記課題は第６の発明によれば、前記高透磁率部材は鉄板である磁気データ消去装置を提供することによって達成できる。
【００１８】
また、上記課題は第７の発明によれば、前記高透磁率部材はケイ素鋼帯、又はケイ素鋼板である磁気データ消去装置を提供することによって達成できる。
【発明の効果】
【００１９】
本発明によれば、ハードディスク（ＨＤ）等の磁気記録媒体のデータ消去を効率よく行い、磁気コイルの形成範囲もより短くし、電力消費を抑えることができる。
【図面の簡単な説明】
【００２０】
【図１】本実施形態の磁気データ消去装置の斜視図である。
【図２】蓋部が開放された状態を示す磁気データ消去装置の正面図である。
【図３】着磁装置に着脱自在に構成された引出収納部の斜視図である。
【図４】引出収納部の取付台にデータ消去を行なうハードディスク（ＨＤＤ）を取り付けた状態を示す図である。
【図５】磁気データ消去装置の内部構造を説明する図である。
【図６】引出収納部の前後に鉄板を設けた場合における磁気データ消去装置内の磁界強度の特性を説明する図である。
【発明を実施するための形態】
【００２１】
以下、図面を参照しながら本発明の実施の形態について説明する。
図１は本実施形態の磁気記録媒体の着磁装置の構成を説明する図であり、着磁装置の斜視図である。
同図において、磁気データ消去装置である着磁装置１の正面には、操作表示部２、及び後述する引出収納部を収納する際開放する蓋部３が設けられている。操作表示部２には電源ランプ４、警告表示ランプ５、液晶ディスプレイ６、操作開始ボタン７、及びチャージランプ８が配設されている。
【００２２】
電源ランプ４は不図示の電源スイッチをオンすることによって点灯し、警告表示ランプ５は、温度センサによって予め設定された温度以上の温度を検出した場合や、後述する計測用巻線に流れる電流が異常な場合、更に駆動回路の異常等、着磁装置１に問題が生じた際に点灯する。また、液晶ディスプレイ６には、上記警告表示ランプ５が点灯した際の警告情報等が表示される。
【００２３】
操作開始ボタン７はハードディスク（ＨＤＤ）等の磁気記録媒体を着磁装置１内に収納した後、操作するボタンであり、このボタン操作によって磁気記録媒体に記憶されたデータの消去が行われる。尚、チャージランプ８は操作ボタン７の操作後、例えば不図示のコンデンサを使用して次の着磁処理に必要な電力を充電する間点灯するランプである。
【００２４】
扉部３は着磁装置１に引出収納部を収納する際開放する扉であり、レバー９が設けられている。例えば、ユーザがこのレバー９を操作して扉部３を手前に開く。図２は着磁装置１の扉部３が開いた状態を示す図である。尚、同図に示す状態は、着磁装置１の内部に取手１１を備えた引出収納部１０が収納されている状態を示す。
【００２５】
図３は着磁装置１に着脱自在に構成された引出収納部１０の斜視図であり、引出収納部１０の前面に取手１１が設けられている。ユーザはこの取手１１を持って、引出収納部１０を着磁装置１に装着する。引出収納部１０には同図に示すように、磁気記録媒体であるハードディスク（ＨＤＤ）の取付台１２ａ、１２ｂ、１２ｃが引出収納部１０の手前から順次配設されている。
取付台１２ａ、１２ｂ、１２ｃの角度は全て、例えば６０°に設定されている。但し、この取付台１２ａ〜１２ｃの設置角度は６０°に限定される訳ではなく、例え０°±１０°の角度まで設定可能である。
【００２６】
また、引出収納部１０の前後には鉄板１３、１４が設けられている。前側の鉄板１３は引出収納部１０の前面と上記取付台１２ａとの間に設けられ、後側の鉄板１４は上記取付台１２ｃと引出収納部１０の後面との間に設けられている。鉄板１３及び１４は共に、例えば厚さ６ｍｍで構成され、後述する磁界が励磁された際、磁束漏れを防止する機能を有する。尚、鉄板１３、１４に代えて、ケイ素鋼板やケイ素鋼帯等の透磁率の高い材料を使用する構成としてもよい。
【００２７】
図４は引出収納部１０の取付台１２ａ〜１２ｃにデータ消去を行なうハードディスク（ＨＤＤ）を取り付けた状態を示す。それぞれの取付台１２ａ〜１２ｃには、同図に示すように２台ずつハードディスク（ＨＤＤ）が取り付けられ、不図示の機構によってそれぞれ対応する取付台１２ａ〜１２ｃに固定される。尚、同図において、取付台１２ｃには未だハードディスク（ＨＤＤ）が取り付けられていない状態を示す。
【００２８】
一方、図５は着磁装置１の内部構造を説明する図である。着磁装置１の内部は着磁コイル形成部１５、上記引出収納部１０が装着される中空部１６、及び放熱板１７で構成されている。着磁コイル形成部１５には巻線が施され、巻線の両端はリード線１８、１９を介して不図示の電力供給回路に接続されている。また、巻線としては、例えば平角線や角線を使用するが、通常の銅線を巻回した構成でもよい。
【００２９】
中空部１６は上記引出収納部１０が収納可能な大きさであり、この中空部１６には着磁コイルによって磁界が形成され、着磁装置１の正面から裏面に向かって、又は着磁装置１の裏面から正面に向かって、磁界が形成される。
【００３０】
上記着磁コイル形成部１５の上層には、例えば１〜２Ｔの計測用巻線２０が施されている。この計測用巻線２０は着磁コイル形成部１５によって形成される磁束密度を測定するコイルであり、測定データは不図示のリード線を介して制御部に供給される。尚、この計測用巻線２０に流れる電流は前述の着磁装置１の正面に設けられた表示ランプを点灯させ、着磁処理が行われていることをユーザに知らせる。
【００３１】
放熱板１５は上記着磁コイル形成部１５の上面及び下面に当接して配設され、固定手段２１によって着磁コイル形成部１５に固定されている。
【００３２】
以上のように構成された着磁装置１において、ハードディスク（ＨDＤ）のデータを消去する際には、先ず引出収納部１０を着磁装置１から引き出し、図４に示すようにそれぞれの取付台１２ａ〜１２ｃにハードディスク（ＨDＤ）を取り付ける。したがって、本例の着磁装置１では、６台のハードディスク（ＨＤＤ）が引出収納部１０にセットされる。
【００３３】
次に、引出収納部１０の取手１１を持って、ハードディスク（ＨDＤ）が収納された引出収納部１０を着磁装置１の所定位置に装着し、レバー９を操作して扉部３を閉じる。
【００３４】
この状態で操作ボタン７を操作し、不図示の電流供給回路から着磁コイル１５に電流を流し、着磁コイル１５を励磁し、着磁装置１の中空部１６に磁界を形成する。この磁界は、例えば着磁装置１の裏面から正面に向けて形成され、中空部１６に収納された引出収納部１０内のハードディスク（ＨＤD）には水平方向に対して６０度の角度で磁束が通過する。
【００３５】
このため、ハードディスク（ＨＤＤ）は着磁され、ハードディスク（ＨＤＤ）に記録されたデータは消去される。このとき、水平方向に対して６０度の角度で磁束が通過するため、垂直磁気記録方式のハードディスク（ＨDＤ）であっても、面内記録方式のハードディスク（ＨＤ）であっても効果的にデータを消去することができる。
【００３６】
本発明は前述の引出収納部１０の前後に鉄板１３、１４を設けることによって上記中空部１６内に一定の磁界を形成するものであり、図６に測定結果を示す。同図に示す特性Ａ１、Ａ２は引出収納部１０の前後に鉄板１３、１４を設けた場合の測定結果であり、同図に示す特性Ｂ１、Ｂ２は鉄板１３、１４を設けない場合の従来の測定結果である。
【００３７】
尚、特性Ａ１、Ｂ１は同図に示すように、出力を７５％に設定した場合の測定結果であり、特性Ａ２、Ｂ２は出力が１００％の場合の測定結果である。また、同図に示すコイルチェンバーはハードディスク（ＨＤＤ）が配設される幅を示し、具体的には前述の図４に示す“Ｌ”である。
【００３８】
先ず、出力が７５％の場合について説明する。この場合、引出収納部１０の前後に鉄板１３、１４を設けない場合、同図の特性Ｂ１に示すように、引出収納部１０の前後において磁束密度が低下する。例えば、同図の例では、ピーク時の１２５００Ｇ（ガウス）に対して、引出収納部１０の前後において１０５００Ｇ（ガウス）以下にまで磁束密度が低下する。この測定結果から、鉄板１３、１４を設けない場合、ピーク時に対して引出収納部１０の前後において約１５％以上磁束密度が低下することが分かる。
【００３９】
一方、引出収納部１０の前後に鉄板１３、１４を設けた場合、同図の特性Ａ１に示すように、引出収納部１０の前後において磁束密度の低下は殆どない。例えば、同図の例では、ピーク時の１１５００Ｇ（ガウス）に対して、引出収納部１０の前後において殆ど磁束密度の低下がない。この測定結果から、鉄板１３、１４を設けた場合、引出収納部１０の真ん中に位置する取付台１２ｂ上のハードディスク（ＨＤＤ）と、引出収納部１０の前後に位置する取付台１２ａ、１２ｃ上のハードディスク（ＨＤＤ）には同じ磁束密度の磁界が供給され、効率良く６台のハードディスク（ＨＤＤ）に一定レベルの着磁を行うことができる。
【００４０】
このことは、出力が１００％の場合も同様であり、例えば引出収納部１０の前後に鉄板１３、１４を設けない場合、同図の特性Ｂ２に示すように、引出収納部１０の前後において磁束密度が低下する。同図の例では、ピーク時の１６５００Ｇ（ガウス）に対して、引出収納部１０の前後において１４０００Ｇ（ガウス）以下にまで磁束密度が低下する。この測定結果から、出力１００％においても、鉄板１３、１４を設けない場合、ピーク時に対して引出収納部１０の前後において磁束密度が約１５％以上低下することが分かる。
【００４１】
一方、引出収納部１０の前後に鉄板１３、１４を設けた場合、同図の特性Ａ２に示すように、引出収納部１０の前後において磁束密度の低下は殆どない。例えば、同図の例では、ピーク時の１５５００Ｇ（ガウス）に対して、引出収納部１０の前後において殆ど磁束密度の低下がない。したがって、出力１００％場合においても、引出収納部１０の真ん中に位置する取付台１２ｂ上のハードディスク（ＨＤＤ）と、引出収納部１０の前後に位置する取付台１２ａ、１２ｃ上のハードディスク（ＨＤＤ）には同じ磁束密度の磁界が供給され、効率良く６台のハードディスク（ＨＤＤ）に一定レベルの着磁を行うことができる。
【００４２】
尚、上記説明では鉄板１３及び１４を６ｍｍに設定した場合の例であり、鉄板１３及び１４をより厚い構成とすれば、ハードディスク（ＨＤＤ）の配設幅Ｌにおいて、より一定の磁束密度を得ることができる。また、鉄板１３、１４に代えてケイ素鋼板やケイ素鋼帯を使用することによって、より薄い材料によってハードディスク（ＨＤＤ）の配設幅Ｌにおいて一定の磁束密度を得ることができる。
【００４３】
以上のように、本発明によれば、引出収納部１０内のハードディスク（ＨＤＤ）が配設された範囲において、着磁コイル１５によって励磁された磁界強度を一定に保持することができ、引出収納部１０に収納されたハードディスク（ＨＤＤ）に一定の磁力を与えることができ、引出収納部１０に収納された全てのハードディスク（ＨＤＤ）のデータを確実に消去することができる。
【００４４】
また、引出収納部１０の前後に設けられた鉄板１３、１４によって、着磁コイル１５によって励磁された磁束の漏れを防止することができる。すなわち、引出収納部１０の前後に鉄板１３、１４を設けることによって、着磁コイル１５によって励磁された磁束は引出収納部１０の前後から漏れることなく、鉄板１３及び１４を通り、着磁コイル１５に戻る磁気回路が形成される。したがって、効率よくハードディスク（ＨＤＤ）のデータ消去を行うことができる。
【００４５】
さらに、鉄板１３及び１４をより内側に設けることはより効果的であり、また鉄板１３及び１４を放熱板としても機能させることができる。尚、鉄板１３及び１４を着磁コイル１５側に設ける構成としてもよい。
【００４６】
以上のように、本発明は少なくとも引出収納部１０内に取り付けられたハードディスク（ＨＤＤ）をカバーする長さＬの範囲において、着磁コイル１５によって励磁された磁束を一定に与える構成であり、着磁コイル１５の配設定幅をこの基準によって設定するものである。
また、上記引出収納部１０の前後に設けられた鉄板１３、１４は、相互の押圧作用によって引出収納部１０が装置本体からの外れることを防止する機能を有する。
【００４７】
また、上記実施形態の説明では、ハードディスク（ＨＤＤ）を取り付ける取付台１２ａ、１２ｂ、１２ｃを引出収納部１０に設ける構成としたが、取付台固定部としては引出収納部１０に限定される訳ではなく、前述の中空部１６に予め設置された取付台にハードディスク（ＨＤＤ）を直接取り付ける取付台固定部構成としてもよい。また、引出収納部１０に設置する取付台を３台に限るものではなく、より多くの取付台を設置し、同時に多くのハードディスク（ＨＤＤ）のデータ消去を行う構成としてもよい。
【００４８】
さらに、上記実施形態の説明において、磁気記録媒体としてハードディスク（ＨDＤ）の例で説明したが、ハードディスク（ＨDＤ）に限らず、例えば磁気デープ等に記録されたデータを消去する場合でも同様に実施することができる。
【符号の説明】
【００４９】
１・・・着磁装置
２・・・操作表示部
３・・・蓋部
４・・・電源ランプ
５・・・警告表示ランプ
６・・・液晶ディスプレイ
７・・・操作開始ボタン
８・・・チャージランプ
９・・・レバー
１０・・引出収納部
１１・・取手
１２ａ、１２ｂ、１２ｃ・・取付台
１３、１４・・鉄板
１５・・着磁コイル形成部
１６・・中空部
１７・・放熱板
１８、１９・・リード線
２０・・計測用巻線
２１・・固定手段
【図１】
2015062148.tif 000003
【図２】
2015062148.tif 000004
【図３】
2015062148.tif 000005
【図４】
2015062148.tif 000006
【図５】
2015062148.tif 000007
【図６】
2015062148.tif 000008